(57)【要約】【課題】特定の記録媒体に対してのみ読み取りエラーのチェックが行われるようにする記録プログラム及び記録媒体の提供。【解決手段】記録プログラムは、コンピュータを、画像データとエラーチェックプログラムと識別情報とをセットにして記録媒体に記録、又は、画像データとエラーチェックプログラムとをセットにして識別情報が予め記録された記録媒体に記録させる記録制御手段１６として機能させるものであり、エラーチェックプログラムは、コンピュータを、記録媒体から識別情報を読み取る識別情報読み取り手段、読み取った識別情報が特定の識別情報の場合に読み取りエラーを検出するエラー検出手段、読み取りエラーが検出された場合にエラー情報を表示手段に表示させるエラー情報表示手段、画像データ又は該画像データのバックアップデータを他の記録媒体に記録されるバックアップ手段として機能させる。【選択図】図６
2006228272.tif 000002
【特許請求の範囲】
【請求項１】
コンピュータを、
画像データと、
コンピュータを、記録媒体から識別情報を読み取る手段、読み取った前記識別情報が特定の識別情報の場合に、前記記録媒体の読み取りエラーを検出する手段、前記読み取りエラーが検出された場合に、前記読み取りエラーが検出されたことを示す情報を表示手段に表示させる手段、として機能させるエラーチェックプログラムと、
前記識別情報と、
をセットにして前記記録媒体に記録させる手段、として機能させることを特徴とする記録プログラム。
【請求項２】
コンピュータを、
画像データと、
コンピュータを、記録媒体から識別情報を読み取る手段、読み取った前記識別情報が特定の識別情報の場合に、前記記録媒体の読み取りエラーを検出する手段、前記読み取りエラーが検出された場合に、前記読み取りエラーが検出されたことを示す情報を表示手段に表示させる手段、として機能させるエラーチェックプログラムと、
をセットにして前記識別情報が予め記録された前記記録媒体に記録させる手段、として機能させることを特徴とする記録プログラム。
【請求項３】
前記エラーチェックプログラムは、更に、
コンピュータを、前記読み取りエラーが検出された場合に、前記画像データ又は該画像データのバックアップデータを他の記録媒体に記録させる手段、として機能させることを特徴とする請求項１又は２に記載の記録プログラム。
【請求項４】
前記エラーチェックプログラムは、
前記識別情報が予め定められたルールに従って構成されている場合、又は、前記識別情報が前記チェックプログラム自身に記述された情報と一致する場合に、該識別情報が特定の識別情報であると判断することを特徴とする請求項１乃至３のいずれか一に記載の記録プログラム。
【請求項５】
画像データと、
コンピュータを、記録媒体から識別情報を読み取る手段、読み取った前記識別情報が特定の識別情報の場合に、前記記録媒体の読み取りエラーを検出する手段、前記読み取りエラーが検出された場合に、前記読み取りエラーが検出されたことを示す情報を表示手段に表示させる手段、として機能させるエラーチェックプログラムと、
前記識別情報と、
が少なくとも記録されていることを特徴とする記録媒体。
【請求項６】
前記識別情報は、前記記録媒体の論理アドレス領域外に記録されていることを特徴とする請求項５記載の記録媒体。
【請求項７】
前記エラーチェックプログラムは、更に、
コンピュータを、前記読み取りエラーが検出された場合に、前記画像データ又は該画像データのバックアップデータを他の記録媒体に記録させる手段、として機能させることを特徴とする請求項５又は６に記載の記録媒体。
【請求項８】
前記エラーチェックプログラムは、
前記識別情報が予め定められたルールに従って構成されている場合、又は、前記識別情報が前記チェックプログラム自身に記述された情報と一致する場合に、該識別情報が特定の識別情報であると判断することを特徴とする請求項５乃至７のいずれか一に記載の記録媒体。
【発明の詳細な説明】
【技術分野】
【０００１】
本発明は、記録媒体にデータ及びプログラムを記録するための記録プログラム及び記録媒体に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成（エンコード）し、該動画データに基づいてＤＶＤプレーヤやＤＶＤレコーダ、ＨＤＤレコーダ、ゲーム機などの家電機器で再生可能なデータ（以下、家電機器用データと呼ぶ。）を生成（オーサリング）し、生成したデータを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データを記録媒体に書き込んだり、コンピュータ機器のハードディスクにバックアップすることもできる。
【０００６】
【特許文献１】特開平１１−８８１７号公報（第３−４頁、第１図）
【発明の開示】
【発明が解決しようとする課題】
【０００７】
上記サービスを利用することにより、ネガフィルムから読み取った画像データや、デジタルカメラ、メディアから読み取った画像データなどが記録された記録媒体に入手することができ、この記録媒体を用いることによって写真画像を電子アルバムとして保管することができるが、記録媒体は永久的に使用できるものではなく、時間の経過に伴って劣化したり、取り扱いの際にキズが入るなどの理由により、画像データの読み取りの際に読み取りエラーが生じる場合がある。
【０００８】
そこで、所定のプログラムをコンピュータ機器にインストールしておき、このプログラムを用いて、装填された記録媒体の読み取りエラーをチェックする方法もあるが、この方法では、記録媒体を識別せずに、装填された全ての記録媒体に対して読み取りエラーのチェックを行うため、例えば、音楽データが記録された音楽ＣＤなどの対象外の記録媒体に対しても読み取りエラーのチェックを行ってしまい、操作が煩雑になり、処理が遅延するなどの問題が生じる。
【０００９】
本発明は、上記問題点に鑑みてなされたものであって、その主たる目的は、特定の記録媒体に対してのみ読み取りエラーのチェックが行われるようにデータやプログラムを記録する記録プログラム及び記録媒体を提供することにある。
【課題を解決するための手段】
【００１０】
上記目的を達成するため、本発明の記録プログラムは、コンピュータを、画像データと、コンピュータを、記録媒体から識別情報を読み取る手段、読み取った前記識別情報が特定の識別情報の場合に、前記記録媒体の読み取りエラーを検出する手段、前記読み取りエラーが検出された場合に、前記読み取りエラーが検出されたことを示す情報を表示手段に表示させる手段、として機能させるエラーチェックプログラムと、前記識別情報と、をセットにして前記記録媒体に記録させる手段、として機能させるものである。
【００１１】
また、本発明の記録プログラムは、コンピュータを、画像データと、コンピュータを、記録媒体から識別情報を読み取る手段、読み取った前記識別情報が特定の識別情報の場合に、前記記録媒体の読み取りエラーを検出する手段、前記読み取りエラーが検出された場合に、前記読み取りエラーが検出されたことを示す情報を表示手段に表示させる手段、として機能させるエラーチェックプログラムと、をセットにして前記識別情報が予め記録された前記記録媒体に記録させる手段、として機能させるものである。
【００１２】
本発明においては、前記エラーチェックプログラムは、更に、コンピュータを、前記読み取りエラーが検出された場合に、前記画像データ又は該画像データのバックアップデータを他の記録媒体に記録させる手段、として機能させる構成とすることができる。
【００１３】
また、本発明においては、前記エラーチェックプログラムは、前記識別情報が予め定められたルールに従って構成されている場合、又は、前記識別情報が前記チェックプログラム自身に記述された情報と一致する場合に、該識別情報が特定の識別情報であると判断する構成とすることができる。
【００１４】
また、本発明の記録媒体は、画像データと、コンピュータを、記録媒体から識別情報を読み取る手段、読み取った前記識別情報が特定の識別情報の場合に、前記記録媒体の読み取りエラーを検出する手段、前記読み取りエラーが検出された場合に、前記読み取りエラーが検出されたことを示す情報を表示手段に表示させる手段、として機能させるエラーチェックプログラムと、前記識別情報と、が少なくとも記録されているものである。
【００１５】
本発明においては、前記識別情報は、前記記録媒体の論理アドレス領域外に記録されている構成とすることができる。
【００１６】
このように、本発明によれば、対象外の記録媒体に対しても読み取りエラーのチェックが実行されてしまうという不便を解消することができ、また、対象となる記録媒体に対して読み取りエラーが生じた場合に適切に対応することができる。
【発明の効果】
【００１７】
本発明の記録プログラム及び記録媒体によれば、当該記録媒体に対してのみエラーチェックが実行されるため、対象外の記録媒体に対しても読み取りエラーのチェックが実行されてしまうという不便を解消することができ、また、対象となる記録媒体に対して読み取りエラーが検出された場合に適切に対応することができる。
【００１８】
その理由は、記録媒体には、画像データとエラーチェックプログラムと識別情報とがセットになって記録され、又、識別情報が予め記録された記録媒体には、画像データとエラーチェックプログラムとがセットになって記録されており、該記録媒体をコンピュータ機器などに装填すると、該記録媒体から識別情報が読み取られ、特定の識別情報の場合に該記録媒体の読み取りエラーが検出され、読み取りエラーが検出された場合にエラー情報が表示手段に表示され、また、画像データ又は該画像データのバックアップデータが他の記録媒体に記録されるからである。
【発明を実施するための最良の形態】
【００１９】
本発明に係る記録プログラムは、その好ましい一実施の形態において、コンピュータを、画像データとエラーチェックプログラムと識別情報とをセットにして記録媒体に記録、又は、画像データとエラーチェックプログラムとをセットにして識別情報が予め記録された記録媒体に記録させる記録制御手段として機能させるものであり、エラーチェックプログラムは、コンピュータを、記録媒体から識別情報を読み取る識別情報読み取り手段、読み取った識別情報が特定の識別情報の場合に、記録媒体の読み取りエラーを検出するエラー検出手段、読み取りエラーが検出された場合に、読み取りエラーが検出されたことを示す情報を表示手段に表示させるエラー情報表示手段、読み取りエラーが検出された場合に、画像データ又は該画像データのバックアップデータを他の記録媒体に記録されるバックアップ手段として機能させる。これにより、当該記録媒体に対してのみ読み取りエラーのチェックを実行することができ、また、読み取りエラーが生じた場合に適切に対応することができる。
【実施例】
【００２０】
上記実施形態について詳細に説明すべく、本発明の一実施例に係る記録プログラム及び記録媒体について、図１乃至図１３を参照して説明する。図１は、本発明の一実施例に係る記録装置の構成を模式的に示す図であり、図２乃至図５は、記録装置の他の構成を模式的に示す図である。また、図６は、記録装置の手段を示すブロック図であり、図７は、エラーチェックプログラムにより機能する手段を示すブロック図である。また、図８は、本実施例に係る記録媒体の作成手順を示すフローチャート図であり、図９は、本実施例に係るエラーチェックの手順を示すフローチャート図である。また、図１０は、記録媒体におけるデータの記録構造を示す図、図１１は、記録媒体における画像データの記録領域を示す図、図１２は記録媒体（ＣＤ−Ｒ）の構造を模式的に示す図である。また、図１３は、表示手段に表示される画面の構成例を示す図である。
【００２１】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２と、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３と、インターネット等の通信ネットワーク１１を介してサーバ１０に接続するネットワーク接続部と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００２２】
また、記録装置１に備える主な手段をブロック図で示すと図６のようになり、メディア装填部２、機器接続部３、ネットワーク接続部等を用いて画像データ（静止画像データ、動画データ、画像情報を含むデータを総称して画像データと呼ぶ。）を入力するデータ入力手段１２と、入力された画像データに基づいて、ＤＶＤプレーヤやＤＶＤレコーダ、ＨＤＤレコーダ、ゲーム機などの家電機器で再生可能な家電機器用データを生成したり、サムネイル画像データやスクリーンネイル画像データなどの縮小画像データを生成するなどの処理を行うデータ生成手段１３と、記録媒体９の識別情報を生成する識別情報生成手段１４と、識別情報に基づいて動作するエラーチェックプログラムを生成するエラーチェックプログラム生成手段１５と、画像データとエラーチェックプログラムと識別情報とをセットにして記録媒体９に記録、又は、画像データとエラーチェックプログラムとをセットにして識別情報が予め記録された記録媒体９に記録させる記録制御手段１６と、表示手段５と、操作手段６と、記録媒体９の記録されている画像データのバックアップデータなどを記憶するＨＤＤなどの記憶手段１７とを備えている。
【００２３】
なお、上記各手段は記録装置１にハードウェアとして構成されていてもよいが、コンピュータを、少なくとも、記録制御手段１６として機能させる記録プログラムとして構成し、該記録プログラムを記録装置１にインストールして実行する構成としてもよい。また、図１では記録装置１としてパーソナルコンピュータなどのコンピュータ機器を示しているが、記録装置１の形態は任意であり、例えば、図２に示すように専用のセットトップボックスとしたり、図３に示すようにポータブルライターとしたり、図４に示すように演算処理機能を備えたＤＶＤレコーダやＨＤＤレコーダなどとしたり、図５に示すように、ハードディスクを備えた端末と画像データの読み取りや書き込みを行う本体とが分離可能な携帯機器としたり、演算処理機能を備えたカーナビゲーション機器などとすることもできる。
【００２４】
また、エラーチェックプログラムにより機能される手段をブロック図で示すと図７に示すようになり、記録媒体９から識別情報を読み取る識別情報読み取り手段１８と、読み取った識別情報が特定の識別情報の場合に、記録媒体９の読み取りエラーを検出するエラー検出手段１９と、読み取りエラーが検出された場合に、表示手段５に読み取りエラーが検出されたことを示すエラー通知画面などを表示させるエラー情報表示手段２０と、エラー情報表示手段２０に代えて又はエラー情報表示手段２０に加えて、読み取りエラーが検出された場合に、画像データ又は該画像データのバックアップデータを新たな記録媒体に記録させるバックアップ手段２１とを備えている。
【００２５】
次に、上記構成の記録装置１を用いて、記録媒体９に画像データとエラーチェックプログラムと必要に応じて識別情報とをセットで記録する手順について、図８のフローチャート図を参照して説明する。
【００２６】
まず、ステップＳ１０１で、記録装置１のメディア装填部２にメディア８を装填、又は、機器接続部３にデジタルカメラ７やカメラ付き携帯電話機７ａを接続し、ステップＳ１０２で、デジタルカメラ７やメディア８に記録された画像データを読み取る。ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１０などであってもよい。
【００２７】
次に、ステップＳ１０３で、必要に応じて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、読み取った画像データのデータサイズを縮小したサムネイル画像データやスクリーンネイル画像データなどの縮小画像データを作成する。
【００２８】
次に、ステップＳ１０４で、記録媒体装填部４に記録媒体９を装填すると、ステップＳ１０５で、識別情報生成手段１４は、予め定められたルールに従って該記録媒体９を識別するための識別情報を生成する。なお、上記ルールは特に限定されないが、装填された記録媒体９と他の記録媒体とを確実に区別できるようにユニークな構成とすることが好ましく、例えば、後述するフォルダの命名ルールと同様に、YYMDyyyXXXXXXAAB（YYMD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z））などとすることができる。
【００２９】
上記ステップは、記録媒体装填部４に装填された記録媒体９に識別情報が記録されていない場合の処理であるが、記録媒体９に予め識別情報が記録されている場合には、識別情報生成手段１４で新たに識別情報を生成する必要はない。この予め記録されている識別情報の構成も特に限定されないが、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してエラーチェックプログラムを動作させるために設けるものであり、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３０】
ここで、一般的な記録媒体９の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３１】
次に、ステップＳ１０６で、エラーチェックプログラム生成手段１５は、コンピュータを図７に示す各手段として機能させるプログラムに、ステップＳ１０５で生成した識別情報又は記録媒体９に予め記録されている識別情報を参照可能に記述し、エラーチェックプログラムを当該記録媒体９でのみ動作するようにする。
【００３２】
なお、上記方法は、記録媒体９に記録された識別情報と、エラーチェックプログラム自身に記述された識別情報とが一致するかに基づいて記録媒体９を識別（すなわち、当該記録媒体９のみを識別）できるようにする場合の方法であるが、識別情報が予め定められたルールに従って生成されているかに基づいて記録媒体９を識別（すなわち、特定種類の記録媒体９を識別）できるようにすることもできる。その場合、エラーチェックプログラムは、予め定められたルールを判別する機能を備えていればよく、エラーチェックプログラム自身に記録媒体装填部４に装填された記録媒体９に対応する識別情報を記述する必要はないため、記憶手段１７に予め定められたルールを判別する機能を備えたエラーチェックプログラムを記憶しておき、記憶手段１７からエラーチェックプログラムを読み出せばよい。
【００３３】
次に、各種データやプログラムを記録媒体９に記録するが、家電機器ではデータを読み込むことができる記録領域が限定されるため、まず、ステップＳ１０７で、記録制御手段１６は、必要に応じて生成した家電機器用データを記録媒体９の論理アドレス領域外に記録した後、ステップＳ１０８で必要に応じてセッションをクローズする。なお、論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まない領域であり、論理アドレス領域外とは、上記論理アドレス領域以外の領域であって論理アドレス領域よりも内周側に位置する領域である。
【００３４】
次に、ステップＳ１０９で、記録制御手段１６は、ステップＳ１０２で読み取った画像データ及び必要に応じてステップＳ１０３で生成した縮小画像データと、ステップＳ１０６で生成したエラーチェックプログラム（又は記憶手段１７に記憶されたエラーチェックプログラム）と、ステップＳ１０５で生成した識別情報とをセットにして家電機器用データの外側の領域に記録する。その際、記録媒体９に予め識別情報が記録されている場合はステップＳ１０５で生成した識別情報を記録する必要はなく、画像データとエラーチェックプログラムとをセットにして記録すればよい。
【００３５】
上記手順で作成された記録媒体９は、例えば、図１１に示すように各種データが記録され、ディスク型記録媒体９の論理アドレス領域の内周側の領域には必要に応じて家電機器用データが記録され、家電機器用データの外周側の領域には画像データや縮小画像データ、エラーチェックプログラムなどのコンピュータ機器用データが記録され、最内周の論理アドレス領域外又は家電機器用データの外周側の領域（図では論理アドレス領域外）には識別情報が記録される。
【００３６】
また、記録媒体９のディレクトリ構造は図１０（ａ）に示すようになり、画像データの格納場所を示すフォルダ（PS_Rollフォルダ）内の画像データや縮小画像データ、記録媒体の管理情報が記述された管理データ（index.pvm）と、APPLフォルダ内のエラーチェックプログラムや画像データをスライドショーとして表示させるためのスライドショープログラム、スライドショーの設定ファイルと、識別情報が記述されたデータ（identification.txt）などでコンピュータ機器用データが構成される。このディレクトリ構造やファイル名は任意であるが、画像データの管理を容易にするために、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００３７】
また、家電機器用データとしてＶｉｄｅｏ−ＣＤ形式のデータを生成した場合の記録媒体９のディレクトリ構造は図１０（ａ）に示すようになり、上記コンピュータ機器用データに加えて、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどが記録され、ＤＶＤ−Ｖｉｄｅｏ形式のデータを生成した場合は、図１０（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。
【００３８】
次に、記録媒体９の読み取りエラーをチェックする手順について、図９のフローチャート図を参照して説明する。なお、以下では、記録装置１に記録媒体９を装填する場合について説明するが、エラーチェックプログラムは記録媒体９自身に記録されていることから、記録媒体９を装填する機器は、少なくとも記録媒体装填部と表示手段とを備えるコンピュータ機器であればよい。
【００３９】
まず、ステップＳ２０１で、記録装置１の記録媒体装填部４に上述した手順で作成した記録媒体９を装填すると、ステップＳ２０２で、記録媒体９に書き込まれているエラーチェックプログラムが起動する。なお、ここでは記録媒体９を装填すると自動的にエラーチェックプログラムが起動するようにしているが、記録媒体９を装填するとメニュープログラムが起動してメニューの中からエラーチェックを選択するとエラーチェックプログラムが起動するようにしてもよいし、ユーザ自身がエラーチェックプログラムを起動させるようにしてもよい。
【００４０】
次に、ステップＳ２０３で、エラーチェックプログラムは、コンピュータを識別情報読み取り手段１８として機能させ、識別情報読み取り手段１８は、記録媒体９の所定の領域又は所定のデータ（例えば、図１０（ａ）のidentification.txtなど）から識別情報を読み取り、読み取った識別情報が前述したステップＳ１０６でエラーチェックプログラム自身に記述された識別情報と一致するか、又は、読み取った識別情報が予め定められたルールに従って構成されているかなどに基づいて、読み取った識別情報が特定の識別情報であるかを判断する。
【００４１】
そして、識別情報が特定の識別情報と判断された場合は、ステップＳ２０４で、エラーチェックプログラムは、コンピュータをエラー検出手段１９として機能させ、エラー検出手段１９は、当該記録媒体９の読み取りエラーを検出し、記録媒体９に記録された画像データが正常に読み取れるかを判定する。なお、読み取りエラーが発生する状況とは、記録媒体９のキズなどにより所定の画像データの読み取りができない場合、記録媒体９の劣化などにより所定の画像データの読み取りにリトライが必要な場合、何らかのデータは読み取れるが画像を再生することができない場合などが考えられるが、少なくとも画像データの読み取りに際して何らかのエラーが発生する任意の状況を含むものとする。
【００４２】
次に、ステップＳ２０５で、読み取りエラーが検出された場合は、ステップＳ２０６で、エラーチェックプログラムは、コンピュータをエラー情報表示手段２０として機能させ、エラー情報表示手段２０は、例えば、図１３（ａ）に示すようなエラー通知画面２２を表示手段５に表示させる。このエラー通知画面２２には、画像データの読み取り時に読み取りエラーが発生したことを示すメッセージや、画像データのバックアップを促すメッセージなどが表示される。
【００４３】
なお、エラー通知画面２２は図１３（ａ）の構成に限定されず、上記メッセージ以外の他の情報を表示してもよく、例えば、図１３（ｂ）に示すように、読み取りエラーが発生した画像データを特定するファイル名や、読み取りエラーの具体的な内容などを表示させることもでき、読み取りエラーの詳細情報を表示することによって、ユーザは記録媒体９の状態を判断することができ、バックアップを実行するか否かの判断に役立てることができる。
【００４４】
次に、ステップＳ２０７で、ユーザは画像データを他の記録媒体９にバックアップするかを判断し、バックアップする場合は、例えば、エラー通知画面２２の”バックアップ実行”ボタンを押してバックアップを実行する。なお、ここでは、エラー通知画面２２にバックアップを実行させるためのボタンを設けているが、エラー通知画面２２を表示した後に自動的にバックアップが実行されるようにしてもよいし、エラー通知画面２２を表示させずに、読み取りエラーが検出されたら自動的にバックアップが実行されるようにしてもよい。
【００４５】
次に、ステップＳ２０８で、エラーチェックプログラムは、コンピュータをバックアップ手段２１として機能させ、バックアップ手段２１は、記録媒体９から読み取った画像データを記録装置１の記憶手段１７などに一旦記憶する。その際、読み取りエラーが発生した画像データに関して、リトライすれば読み取れる場合にはその画像データを記録媒体９から読み取り、また、リトライしても読み取れない場合は、該画像データが記憶手段１７などにバックアップされているかを調べ、バックアップされている場合は記憶手段１７からその画像データを読み取る。
【００４６】
次に、ステップＳ２０９で、記録媒体装填部４に新たな記録媒体９を装填すると、ステップＳ２１０で、バックアップ手段２１は、記憶手段１７に一旦記憶した画像データを新たな記録媒体９にバックアップする。その際、バックアップ手段２１は、必要に応じてエラーチェックプログラムや識別情報を新たな記録媒体９に記録してもよい。また、記録装置１に複数の記録媒体装填部４を備えている場合は、画像データを記憶手段１７に一時的に記憶することなく、新たな記録媒体９に画像データを直接バックアップしてもよい。
【００４７】
一方、ステップＳ２０３で読み取った識別情報が特定の識別情報でない場合や、ステップＳ２０５で読み取りエラーが検出されなかった場合、ステップＳ２０７でバックアップを指示しなかった場合には、ステップＳ２１１で、ユーザは記録媒体９に記録されている画像データを表示手段５に表示させたり、画像データを編集したり、スライドショーを表示させたり、写真プリントを作成するなどの作業を行う。
【００４８】
このように、本実施例では、記録制御手段１６により、記録媒体９には画像データとエラーチェックプログラムと必要に応じて識別情報とがセットで記録され、該記録媒体９をコンピュータ機器などにセットするとエラーチェックプログラムが起動し、記録媒体９から識別情報を読み取り、読み取った識別情報が特定の識別情報の場合に、読み取りエラーを検出し、読み取りエラーが検出された場合に、エラー通知画面２２を表示したり、画像データを他の記録媒体にバックアップするなどの制御が行われるため、特定の記録媒体９に対してのみ読み取りエラーのチェックを実行させることができ、また、読み取りエラーが生じた場合に適切に対応することができる。
【００４９】
なお、上記各実施例では、画像データを記録する記録媒体について示したが、本発明は上記実施例に限定されるものではなく、音楽データなどの画像データ以外の他の種類のデータを記録する記録媒体に対しても同様に適用することができる。
【図面の簡単な説明】
【００５０】
【図１】本発明の一実施例に係る記録装置の構成を示す外観図である。
【図２】本発明の一実施例に係る記録装置の他の構成を示す外観図である。
【図３】本発明の一実施例に係る記録装置の他の構成を示す外観図である。
【図４】本発明の一実施例に係る記録装置の他の構成を示す外観図である。
【図５】本発明の一実施例に係る記録装置の他の構成を示す外観図である。
【図６】本発明の一実施例に係る記録装置の手段を示すブロック図である。
【図７】本発明の一実施例に係るエラーチェックプログラムにより機能する手段を示すブロック図である。
【図８】本発明の一実施例に係る記録装置を用いた記録媒体の作成手順を示すフローチャート図である。
【図９】本発明の一実施例に係る記録装置を用いたエラーチェック手順を示すフローチャート図である。
【図１０】本発明の一実施例の記録媒体における画像データの記録構造を示す図である。
【図１１】本発明の一実施例の記録媒体における画像データの記録領域を示す図である。
【図１２】記録媒体（ＣＤ−Ｒ）の構造を模式的に示す図である。
【図１３】本発明の一実施例に係る記録装置の表示手段に表示されるエラー通知画面の構成例を示す図である。
【符号の説明】
【００５１】
１  記録装置
２  メディア装填部
３  機器接続部
４  記録媒体装填部
５  表示部
６  操作部
７  デジタルカメラ
７ａ  カメラ付き携帯電話機
８  メディア
９  記録媒体
１０  サーバ
１１  通信ネットワーク
１２  データ入力手段
１３  データ生成手段
１４  識別情報特定手段
１５  エラーチェックプログラム生成手段
１６  記録制御手段
１７  記憶手段
１８  識別情報チェック手段
１９  エラーチェック手段
２０  エラー通知画面表示手段
２１  バックアップ手段
２２  エラー通知画面
【図１】
2006228272.tif 000003
【図２】
2006228272.tif 000004
【図３】
2006228272.tif 000005
【図４】
2006228272.tif 000006
【図５】
2006228272.tif 000007
【図６】
2006228272.tif 000008
【図７】
2006228272.tif 000009
【図８】
2006228272.tif 000010
【図９】
2006228272.tif 000011
【図１０】
2006228272.tif 000012
【図１１】
2006228272.tif 000013
【図１２】
2006228272.tif 000014
【図１３】
2006228272.tif 000015